(57)【要約】      （修正有）【課題】個人単位でメンバーを募集し、スポーツチームを作成する実践スポーツウェブサイトのプログラムにおいて、試合における審判員を募集する方法を提供する。【解決手段】審判員不足対策として以下の施策を行う。１回の審判に対してプレー費の料金サービスを行う。申込の需要に応じてサービス料金を調整する。複数回の参加に対し１度必ず審判をしてもらう。審判をしないと次にプレーできないようにロックする。さらに、審判員の質を向上させるために、審判員は試合において技量を査定され、審判実施日、場所、回数、査定結果を個人データ画面で管理する。【選択図】なし【特許請求の範囲】
【請求項１】
実践スポーツウェブサイトに関して、審判員が不足している場合の審判員を確保する方法で、１回の審判に対してプレー費の料金サービスを、ＩＤパスワードをユーザーに送信して行う方法。申込の需要に応じて料金を調整する。
【請求項２】
実践スポーツウェブサイトに関して、審判員が不足している場合の審判員を確保する方法で、複数回の参加に対し１度必ず審判をしてもらう方法。参加データに基づき、審判を申込しないと競技の申込ができないようにロックを掛ける。
【請求項３】
実践スポーツウェブサイトに関して、メイン画面からの競技及び審判の申込に関する画面の遷移に関する一連の表示内容、また個人データ画面の審判に関する表示内容。
【発明の詳細な説明】
【技術分野】
【０００１】
本発明は、個人単位でメンバーを募集し、スポーツチームを作成する実践スポーツウェブサイトのプログラムに関するもので、試合における審判員を募集する方法についてである。                                              
【背景技術】
【０００２】
従来は社会人リーグに所属する各チームから審判員を提供する、もしくはリーグを運営する組織が管轄する審判員を主催する大会に提供する方法であった。ここでは個人参加型の実践スポーツウェブサイトにおけるサッカー、軟式野球の審判員確保の方法についてである。                         
【先行技術文献】
【特許文献】
【０００３】
本発明は特許２０１４−１６３９５４に追加するものであり、審判を集める方法の具体案になる。先の特許ではエントリー入力画面で審判について記されており、競技者の審判に対する意欲をアンケート方式で確認している。「積極的にしたい」「審判員が不足しているときに協力したい」「多忙なため極力したくない」という項目になる。また競技者の保有している資格をエントリー入力画面で確認している。しかしながら入力データの具体的運用、施策については言及していない。特許２０１５−００１２８６に示された方式では、試合中に監督は競技者の個人技量を査定し、競技意欲の向上を目指しているが、審判の技量について述べていない。                                                 
【発明の概要】
【発明が解決しようとする課題】
【０００４】
実践スポーツウェブサイトの運営において、優れた審判員を確保し、審判員が不足して試合ができないという事態を避けないといけない。
【課題を解決するための手段】
【０００５】
原則は早く申込みをした人から優先に審判をする。資格が無くても、経験をさせて資格を保有してもらわないといけないからだ。審判員が不足することが想定されるので競技者に対して以下２つの方策を行う。
・１回の審判に対してプレー費の料金サービスをする。
・複数回の参加に対し１度必ず審判をしてもらう。審判をしないと次にプレーできないようにロックする。
前者は経済的に不遇な人を救済する制度になる。審判をしたくない人はいるので、前者の方法はそうした人にスポーツをする機会を提供することができる。施策を実施した場合、募集が需要を超えることも考えられる。申込の需要に応じてサービス料金を調整する。後者は前者の対策を施しても効果が無い場合の手段になる。ボランティア精神、協調性を育む制度になる。よほど競技をしたい人だけを厳選する手法になり、競技者の応募が増大した場合の抑止策になる。またイニシャルコストの低減を優先する効果的な方法になる。
審判員の質を高めるために、審判員は試合において技量を査定される。審判実施日、回数、査定結果をデータ管理することで、審判申込者は更に上級の審判資格を目指すことになる。
【発明の効果】
【０００６】
優れた審判員を確保することができ、審判員が不足して試合ができないという事態を避けることができる。
【発明を実施するための形態】
【０００７】
プレー費のサービスを行うために、審判をしてくれた後にIDパスワードを送付し、それを入力して競技を申し込むと競技参加費が安くなるというもの。具体例は主審をしてくれれば３０００円分、線審をしてくれれば２０００円分の料金サービスを行う。申込の需要に応じて料金を調整する。ＩＤパスワードにＳＳＬを導入することも考えられる。
【０００８】
複数回に１度審判をする方法は、例えば競技者に５回の参加に対して１度は審判をしないといけないという運用型広告を表示し、インプレッション効果を与える。競技者の出場日及び出場回数をデータ管理し、５回参加した競技者に次は審判の申込であることを通知し、そして審判の申込をしないと次の競技の参加ができないようにロックするものだ。
【０００９】
サッカーにおいて、第４の審判は試合において主審と線審を査定することを行う。問題無しがレベル２、ミス有がレベル１と評価する。軟式野球に関しては球審が塁審を、２塁塁審が球審を査定する。これらはヒアリングもしくはメールによるアンケート形式による。この査定により審判員に緊張感と意欲を与えることになる。この審判実施日、場所、回数、査定結果、通算査定レベル（平均値）を単純集計によるデータ管理をする。審判員の資格取得、及び資格保持するために、いつ試合を審判したか毎年各都道府県のサッカー協会に報告しないといけない。以下に示す個人データ画面で実施日と場所の履歴を記録する理由は資格取得促進のためでもある。申込者は更に上級の審判資格を目指すことになる。
・保有資格：２級
・通算査定：１．５６
・履歴
２０１５／１／１５  津市美杉町    主審  査定２
２０１５／２／１７  松阪市嬉野町  線審  査定２
【００１０】
競技及び審判の応募方法は以下に示すような遷移による。
・メイン画面より競技内容、場所、日を選択して検索。→次の項目が表示。
・応募項目の表示
中級：津市美杉町：駐、バス    ：１０時：審判０/４人 プレーヤー２/２２人 ＧＫ０/２人
初級：津市美杉町：駐、バス    ：１２時：審判２/４人 プレーヤー５/２２人 ＧＫ１/２人
中級：松阪市高町：駐、歩１０分：  ９時：審判２/４人 プレーヤー８/２２人 ＧＫ１/２人
→初級の審判２/４人をクリック
・詳細応募項目の表示
主審１/１人  線審１/２人 第４の審判（欠席者発生時の予備プレーヤー）０/１人 
→線審１/２人をクリックでform要素による送信フォームへ移行
キックオフの時間を表示することで、１試合目の競技者が２試合目の審判を行い、２試合目の競技者が３試合目の審判を行うという交互審判制を促進させる。ここでは応募中の試合だけを表示し、ゲーム成立したものは表示しない。ログインすると申込者の競技レベルを認識するので、参加可能な競技だけを表示している。例えばここでは中級者が申込をしたので、上級は表示していない。駐とは駐車場が有ることを、バスとはバス停が近くに有ることを、歩とは最寄り駅からの徒歩時間を示す。
【産業上の利用可能性】
【００１１】
実践スポーツウェブサイトに関して、この審判の募集方法及び審判員の査定方法とそのデータ管理は、全ての団体スポーツに導入できる。